(57)【要約】【課題】温度管理に加えて湿度管理を行って育成効率を向上させ得る温室の環境制御装置を提供する。【解決手段】温室１内の気温を検出する温度センサ１３と、温室１内の湿度を検出する湿度センサ１４と、給水装置からの水の供給に基づいて、湿潤状態に維持されるクーリングパッド１０を備えた空調室６と、空調室６に設けられ、温室１内の空気の循環経路にクーリングパッド１０を位置させる状態と、温室１外から取り入れられる外気を、クーリングパッド１０を介して温室１内に案内する状態とを選択する複数の窓９ａ，９ｂ，９ｄと、温室１内の空気が冷房を要しない気温である時、温室１内に案内される空気がクーリングパッド１０を通過するように複数の窓９ａ，９ｂ，９ｄを制御して、温室１内に案内する空気の湿度を調整するコントローラー５を備えた。【選択図】図１
2015006133.tif 000002
【特許請求の範囲】
【請求項１】
温室内の気温を検出する温度センサと、
温室内の湿度を検出する湿度センサと、
給水装置からの水の供給に基づいて、湿潤状態に維持されるクーリングパッドを備えた空調室と、
前記空調室に設けられ、前記温室内の空気の循環経路に前記クーリングパッドを位置させる状態と、前記温室外から取り入れられる外気を、前記クーリングパッドを介して温室内に案内する状態とを選択する複数の窓と、
前記温室内の空気が冷房を要しない気温である時、前記温室内に案内される空気が前記クーリングパッドを通過するように前記複数の窓を制御して、前記温室内に案内する空気の湿度を調整するコントローラーと
を備えたことを特徴とする温室の環境制御装置。
【請求項２】
請求項１に記載の温室の環境制御装置において、
前記コントローラーは、前記温室内の気温と湿度に基づいて、前記給水装置から前記クーリングパッドに供給する水量を調節して、気温に適した湿度に調整することを特徴とする温室の環境制御装置。
【請求項３】
温室内の気温が冷房を要しない気温である時、クーリングパッドを介して前記温室内に空気を案内して、前記温室内の湿度を調整することを特徴とする温室の環境制御方法。
【発明の詳細な説明】
【技術分野】
【０００１】
本発明は、農業用、園芸用の温室内の温度及び湿度等の環境制御を行う環境制御装置に関するものである。
【背景技術】
【０００２】
従来、栽培農作物を育成するための温室では、育成効率を向上させるために、室温を制御する環境制御装置を備えたものがある。
一般に、温室で栽培される農作物は、夏場の日中に高温に晒されると順調な生育が妨げられる。そこで、高温時には温室の天窓あるいは側面の窓を開放して温度を調節する環境制御装置が実用化されている。
【０００３】
しかし、天窓あるいは側面の窓を開放することは、害虫あるいは病原菌の侵入を許すため、害虫の駆除あるいは病害防除のための農薬散布が必要となる。従って、農薬散布のための労力及びコストが必要となる。
【０００４】
そこで、セルロースペーパーをハニカム状に接着したパッドを温室の側面開口部に設置するとともに、そのパッドに水を含ませ、温室外の空気をパッドを介して室内に導入することにより、温室内の気温を下げるようにした環境制御装置が提案されている。
【０００５】
特許文献１には、温室の室内と外部とを断熱する空気層を備えた温室が開示されている。
特許文献２には、温室内に細霧を放出して蒸発させることにより、温室内の気温を制御する冷房装置が開示されている。
【先行技術文献】
【特許文献】
【０００６】
【特許文献１】特開平９−１０７８１２号公報
【特許文献２】特開２００６−６１０５号公報
【発明の概要】
【発明が解決しようとする課題】
【０００７】
特許文献１に開示された温室では、ある程度の温度管理を行うことはできるが、湿度管理を行うことはできない。また、空気層を形成するための装置が大がかりとなって、製造コストが上昇する。
【０００８】
特許文献２に開示された冷房装置では、細霧の噴霧と停止を繰り返すため、気温や葉面温度の変動が大きくなり、農作物にストレスを与えるとともに、水滴が農作物の葉に付着するため、病害の発生リスクが上昇するという問題点がある。また、湿度管理を行うこともできない。
【０００９】
この発明はこのような事情に鑑みてなされたものであり、その目的は温度管理に加えて湿度管理を行って育成効率を向上させ得る温室の環境制御装置を提供することにある。
【課題を解決するための手段】
【００１０】
上記課題を解決する温室の環境制御装置は、温室内の気温を検出する温度センサと、温室内の湿度を検出する湿度センサと、給水装置からの水の供給に基づいて、湿潤状態に維持されるクーリングパッドを備えた空調室と、前記空調室に設けられ、前記温室内の空気の循環経路に前記クーリングパッドを位置させる状態と、前記温室外から取り入れられる外気を、前記クーリングパッドを介して温室内に案内する状態とを選択する複数の窓と、前記温室内の空気が冷房を要しない気温である時、前記温室内に案内される空気が前記クーリングパッドを通過するように前記複数の窓を制御して、前記温室内に案内する空気の湿度を調整するコントローラー
また、上記構成において、前記コントローラーは、前記温室内の気温と湿度に基づいて、前記給水装置から前記クーリングパッドに供給する水量を調節して、気温に適した湿度に調整することが好ましい。
【００１１】
上記課題を解決する温室の環境制御方法は、温室内の気温が冷房を要しない気温である時、クーリングパッドを介して前記温室内に空気を案内して、前記温室内の湿度を調整することを特徴とする。
【発明の効果】
【００１２】
本発明の温室の環境制御装置によれば、温度管理に加えて湿度管理を行って育成効率を向上させることができる。
【図面の簡単な説明】
【００１３】
【図１】第一の実施形態の環境制御装置を示す概念図である。
【図２】環境制御装置の電気的構成を示すブロック図である。
【図３】環境制御装置の動作を示す説明図である。
【図４】環境制御装置の動作を示す説明図である。
【図５】環境制御装置の動作を示す説明図である。
【図６】環境制御装置の動作を示す説明図である。
【図７】環境制御装置の動作を示す説明図である。
【図８】環境制御装置の動作を示す説明図である。
【図９】環境制御装置の動作を示す説明図である。
【図１０】第一の実施形態の環境制御装置を示す概念図である。
【図１１】環境制御装置の電気的構成を示すブロック図である。
【図１２】環境制御装置の動作を示す説明図である。
【図１３】環境制御装置の動作を示す説明図である。
【図１４】環境制御装置の動作を示す説明図である。
【図１５】環境制御装置の動作を示す説明図である。
【図１６】環境制御装置の動作を示す説明図である。
【図１７】環境制御装置の動作を示す説明図である。
【発明を実施するための形態】
【００１４】
（第一の実施形態）
以下、温室の環境制御装置の第一の実施形態を図面に従って説明する。図１に示す温室１内には育成棚２上に農作物３が栽培され、育成棚２の下方には空気ダクト４が配設されている。
【００１５】
温室１内の一側には、温室１内の空調を制御するためのコントローラー５が配設されている。温室１の他側に設けられる空調室６は、隔壁を介して温室１内の空間と区画され、さらに空調室６内は隔壁７ａ〜７ｃで第一〜第三の分室８ａ〜８ｃに区画されている。
【００１６】
第一の分室８ａには、第一の窓９ａが開閉可能に設けられ、その開放時には温室１外から外気を導入可能であり、閉鎖時には第一の分室８ａと温室１外との空気の流通を遮断可能となっている。
【００１７】
第一の分室８ａと第二の分室８ｂとを区画する第一の隔壁７ａには、クーリングパッド１０が配設され、そのクーリングパッド１０を介して第一の分室８ａと第二の分室８ｂとが連通されている。
【００１８】
前記クーリングパッド１０は、セルロースペーパーをハニカム状に接着して形成され、前記コントローラー５で制御される後記給水装置１１の動作により、上方から水が供給されて常には湿潤状態に維持される。
【００１９】
そして、クーリングパッド１０を空気が通過すると、クーリングパッド１０に含まれる水が気化して気化熱を奪うため、通過する空気が高温時には通過後の空気が冷やされる。また、通過後の空気の湿度が上昇する。
【００２０】
前記第二の分室８ｂの上方に位置する第三の分室８ｃと第一の分室８ａとを区画する隔壁７ｃには、第二の窓９ｂが開閉可能に設けられ、その開放時には第一の分室８ａと第二の分室８ｂとを連通可能であり、閉鎖時には第一の分室８ａと第二の分室８ｂとの空気の流通を遮断可能となっている。
【００２１】
前記第二の分室８ｂと第三の分室８ｃとを区画する隔壁７ｂには、第三の窓９ｃが開閉可能に設けられ、その開放時には第二の分室８ｂと第三の分室８ｃとを連通可能であり、閉鎖時には第二の分室８ｂと第三の分室８ｃとの空気の流通を遮断可能となっている。
【００２２】
前記第三の分室８ｃと温室１内との間には、第四の窓９ｄが開閉可能に設けられ、その開放時には第三の分室８ｃと温室１内とを連通可能であり、閉鎖時には第三の分室８ｃと温室１内との空気の流通を遮断可能となっている。
【００２３】
前記第二の分室８ｂの下部は、前記空気ダクト４に連通され、その空気ダクト４と第二の分室８ｂとの境界部分には第一のファン１２ａが配設されている。そして、第一のファン１２ａの作動により、第二の分室８ｂ内の空気が空気ダクト４内に案内され、空気ダクト４の全長にわたって形成された通気孔から育成棚２に向かって上方へ送風される。
【００２４】
前記温室１の一側の側壁上部には、第二のファン１２ｂが配設されている。そして、第二のファン１２ｂの作動により、温室１内の空気が温室１外に排出される。
前記温室１内の中央部には、天井面から気温センサ１３及び湿度センサ１４が吊下支持されている。
【００２５】
前記温室１の天井面には、温室１内外の気圧の差に基づいて動作する陽圧ダンパ１５が配設されている。そして、温室１内の気圧が温室外の気圧に比して一定値以上高くなると、温室１内の空気を温室外へ排出可能である。
【００２６】
前記空調室６の第一の分室８ａ内にはヒーター１６が設けられ、第一の分室８ａ内の空気を暖気可能となっている。
図２は、上記のように構成された温室の環境制御装置の電気的構成を示す。
【００２７】
前記コントローラー５は、あらかじめ設定されたプログラムに基づいて動作する。そして、温室１に配設される操作装置１７から入力される操作信号と、前記気温センサ１３及び湿度センサ１４から信号される検出信号と、前記プログラムに基づいて前記第一〜第四の窓９ａ〜９ｄ、第一及び第二のファン１２ａ，１２ｂ、給水装置１１、ヒーター１６の動作を制御する。第一〜第四の窓９ａ〜９ｄは、コントローラー５から出力される制御信号に基づいて動作するモータあるいは電磁式開閉装置の動作により開閉される。
【００２８】
そして、温室１内を暖房しながら湿度を調整する動作、温室１内の空気を循環させながら湿度を調整する動作、温室１内に外気を導入しながら湿度を調整する動作、温室１内の気圧を高めながら湿度を調整する動作、温室１内を冷房する動作等を行うようになっている。
【００２９】
次に、上記のような各動作時におけるコントローラー５の具体的動作を図３〜図９に従って説明する。
図３に示すように、温室１内の気温があらかじめ設定された気温以下である第一の温度範囲Ｔ１では、暖房動作を行う。すなわち、第一のファン１２ａはオン動作に維持され、第二のファン１２ｂはオフされる。
【００３０】
また、第一の窓９ａと第三の窓９ｃは閉じられ、第二の窓９ｂと第四の窓９ｄは開放されるとともに、ヒーター１６が作動する。クーリングパッド１０には給水装置１１から水が供給される。
【００３１】
すると、図４に示すように、第一のファン１２ａの動作により、第一の分室８ａ内でヒーター１６により暖められた空気はクーリングパッド１０を経て第二の分室８ｂに案内され、空気ダクト４から育成棚２を経て温室１内に案内され、さらに第三の分室８ｃから第一の分室８ａに循環する。
【００３２】
このような動作により、温室１内が暖房されるとともに、湿度が調整される。このとき、温室１内の温度及び湿度に応じてクーリングパッド１０に供給される水量が調整されて、気温に適した湿度に調整される。
【００３３】
具体的には、各気温における飽和蒸気圧に対し、あらかじめ設定された割合の湿度にほぼ収束するように、クーリングパッド１０に供給される水量が調整される。
図３に示すように、温室１内の気温が前記第一の温度範囲Ｔ１より高い第二の温度範囲Ｔ２では、第一のファン１２ａがオン動作に維持され、第二のファン１２ｂはオフされる。
【００３４】
また、第一の窓９ａと第三の窓９ｃは閉じられ、第二の窓９ｂと第四の窓９ｄは開放されるとともに、ヒーター１６がオフされる。クーリングパッド１０には給水装置１１から水が供給される。
【００３５】
すると、図５に示すように、第一のファン１２ａの動作により、第一の分室８ａ内の空気はクーリングパッド１０を経て第二の分室８ｂに案内され、空気ダクト４から育成棚２を経て温室１内に案内され、さらに第三の分室８ｃから第一の分室８ａに循環する。
【００３６】
このような動作により、温室１内の湿度が調整される。このとき、温室１内の温度と湿度に応じてクーリングパッド１０に供給される水量が調整されて、気温に適した湿度に調整される。
【００３７】
図３に示すように、温室１内の気温が前記第二の温度範囲Ｔ２より高い第三の温度範囲Ｔ３では、第一のファン１２ａがオン動作に維持され、第二のファン１２ｂはオフされる。
【００３８】
また、第一の窓９ａ、第二の窓９ｂ、第四の窓９ｄは開放されるとともに、第三の窓９ｃは閉じられ、ヒーター１６がオフされる。クーリングパッド１０には給水装置１１から水が供給される。
【００３９】
すると、図６に示すように、第一のファン１２ａの動作により、温室１外から第一の窓９ａを経て第一の分室８ａに外気が導入され、第一の分室８ａ内の空気はクーリングパッド１０を経て第二の分室８ｂに案内され、空気ダクト４から育成棚２を経て温室１内に案内され、さらに第三の分室８ｃから第一の分室８ａに循環する。
【００４０】
このような動作により、温室１内の湿度が調整される。このとき、温室１内の温度と湿度に応じてクーリングパッド１０に供給される水量が調整されて、気温に適した湿度に調整される。
【００４１】
図３に示すように、温室１内の気温が前記第三の温度範囲Ｔ３より高い第四の温度範囲Ｔ４では、第一のファン１２ａがオン動作に維持され、第二のファン１２ｂはオフされる。
【００４２】
また、第一の窓９ａ、第二の窓９ｂは開放されるとともに、第三の窓９ｃ及び第四の窓９ｄは閉じられ、ヒーター１６がオフされる。クーリングパッド１０には給水装置１１から水が供給される。
【００４３】
すると、図７に示すように、第一のファン１２ａの動作により、温室１外から第一の窓９ａを経て第一の分室８ａに外気が導入され、第一の分室８ａ内の空気はクーリングパッド１０を経て第二の分室８ｂに案内され、空気ダクト４から育成棚２を経て温室１内に案内され、温室１内を循環する。
【００４４】
このような動作により、温室１内の湿度が調整される。このとき、温室１内の温度と湿度に応じてクーリングパッド１０に供給される水量が調整されて、気温に適した湿度に調整される。
【００４５】
また、温室１内の気圧が温室１外の気圧より高くなり、その気圧差が一定値以上となると陽圧ダンパが開いて、温室１内の空気が温室１外に排気されるため、温室１の内外の気圧差が一定値となる。
【００４６】
この状態では、温室１内の気圧が温室１外より若干高い気圧に維持されるため、温室１内への害虫の侵入を抑制することができる。
図３に示すように、温室１内の気温が前記第四の温度範囲Ｔ４より高い第五の温度範囲Ｔ５では、第一のファン１２ａがオン動作に維持され、第二のファン１２ｂは低速回転でオンされる。
【００４７】
また、第一の窓９ａ、第二の窓９ｂは開放されるとともに、第三の窓９ｃ及び第四の窓９ｄは閉じられ、ヒーター１６がオフされる。クーリングパッド１０には給水装置１１から水が供給される。
【００４８】
すると、図８に示すように、第一のファン１２ａの動作により、温室１外から第一の窓９ａを経て第一の分室８ａに外気が導入され、第一の分室８ａ内の空気はクーリングパッド１０で気化熱を奪われて第二の分室８ｂに案内され、空気ダクト４から育成棚２を経て温室１内に案内され、温室１内を循環する。
【００４９】
このような動作により、温室１内が冷房される。また、温室１内の気圧が温室１外の気圧より高くなり、その気圧差が一定値以上となると陽圧ダンパが開いて、温室１内の空気が温室１外に排気されるため、温室１の内外の気圧差が一定値となる。
【００５０】
図３に示すように、温室１内の気温が前記第五の温度範囲Ｔ５より高い第六の温度範囲Ｔ６では、第一のファン１２ａがオン動作に維持され、第二のファン１２ｂは中速回転でオンされる。
【００５１】
また、第一の窓９ａ、第三の窓９ｃ及び第四の窓９ｄは開放されるとともに、第二の窓９ｂは閉じられ、ヒーター１６がオフされる。クーリングパッド１０には給水装置１１から水が供給される。
【００５２】
すると、図９に示すように、第一のファン１２ａの動作により、温室１外から第一の窓９ａを経て第一の分室８ａに外気が導入され、第一の分室８ａ内の空気はクーリングパッド１０で気化熱を奪われて第二の分室８ｂに案内される。
【００５３】
そして、第二の分室８ｂに案内された空気は、空気ダクト４から育成棚２を経て温室１内に案内されるとともに、第三の分室８ｃから温室１内に案内されて、第二のファン１２ｂにより温室外へ排出される。
【００５４】
このような動作により、温室１内が冷房される。また、温室１内の気温が第六の温度範囲Ｔ６よりさらに高い第七の温度範囲Ｔ７では、第二のファン１２ｂが高速回転され、クーリングパッド１０を経て温室１内に導入される空気量が増大する。この結果、冷房効果がさらに向上する。
【００５５】
上記のような温室の環境制御装置では、次に示す効果を得ることができる。
（１）空調室６に設置されたクーリングパッド１０を通過させた空気を温室１内に案内することにより、温室１内を冷房することができる。
（２）温室１内の気温が冷房を必要としない温度では、クーリングパッド１０を通過させた空気を温室１内に案内することにより、温室１内の湿度を調整することができる。
（３）湿度センサ１４で検出した温室１内の湿度に基づいて、クーリングパッド１０に供給する水量を調節することにより、温室１内の湿度を調整することができる。
（４）空調室６の第一〜第四の窓９ａ〜９ｄを開閉制御することにより、温室１内の気温に応じて、クーリングパッド１０を介して温室１内の空気を循環させる動作と、クーリングパッド１０を介して温室１外から取り入れた空気と温室１内の空気を循環させる動作とを選択することができる。
（第二の実施形態）
図１０〜図１７は、第二の実施形態を示す。この実施形態は、第一の実施形態の第二のファン１２ｂに代えて天窓を備え、空調室の窓の数を少なくして、環境制御装置の構成を簡略化したものである。第一の実施形態と同一構成部分は、同一符号を付して詳細な説明を省略する。
【００５６】
図１０に示す温室１は、天井面に天窓２１が開閉可能に設けられ、コントローラー５により開閉制御される。
空調室２２は、第四の隔壁２３で第四の分室２４ａと第五の分室２４ｂに区画されている。第四の分室２４ａには第五の窓２５ａが開閉可能に設けられ、その開放時には温室１外から外気を導入可能であり、閉鎖時には第四の分室２４ａと温室１外との空気の流通を遮断可能となっている。
【００５７】
また、第四の分室２４ａには第六の窓２５ｂが開閉可能に設けられ、その開放時には温室１内と第四の分室２４ａが連通され、閉鎖時には第四の分室２４ａと温室１内との空気の流通を遮断可能となっている。
【００５８】
前記空調室２２の隔壁２３にはクーリングパッド１０が配設され、第一の実施形態と同様に給水装置から水が供給される。そして、クーリングパッド１０を介して第四の分室２４ａと第五の分室２４ｂが連通されている。
【００５９】
前記第五の分室２４ｂには第一の実施形態と同様な第一のファン１２ａを介して空気ダクト４に連通されている。そして、第一のファン１２ａの作動に基づいて、第五の分室２４ｂから空気ダクト４を介して育成棚２に空気が供給される。その他の構成は、第一の実施形態と同様である。
【００６０】
図１１は、この実施形態の環境制御装置の電気的構成を示す。第一の実施形態と同様に、コントローラー５は、あらかじめ設定されたプログラムに基づいて動作する。そして、温室１に配設される操作装置１７から入力される操作信号と、前記気温センサ１３及び湿度センサ１４から信号される検出信号と、前記プログラムに基づいて前記第五及び第六の窓２５ａ，２５ｂ、第一のファン１２ａ、給水装置１１、ヒーター１６及び天窓２１の動作を制御する。第五及び第六の窓２５ａ，２５ｂと天窓２１は、コントローラー５から出力される制御信号に基づいて動作するモータあるいは電磁式開閉装置の動作により開閉される。
【００６１】
そして、第一の実施形態と同様に、温室１内を暖房しながら湿度を調整する動作、温室１内の空気を循環させながら湿度を調整する動作、温室１内に外気を導入しながら湿度を調整する動作、温室１内の気圧を高めながら湿度を調整する動作、温室１内を冷房する動作等を行うようになっている。
【００６２】
次に、上記のような各動作時におけるコントローラー５の具体的動作を図１２〜図１７に従って説明する。
図１２に示すように、温室１内の気温があらかじめ設定された気温以下である第十一の温度範囲Ｔ１１では、暖房動作を行う。すなわち、第一のファン１２ａはオン動作に維持される。
【００６３】
また、第五の窓２５ａ及び天窓２１は閉じられ、第六の窓２５ｂは開放されるとともに、ヒーター１６が作動する。クーリングパッド１０には給水装置１１から水が供給される。
【００６４】
すると、図１３に示すように、第一のファン１２ａの動作により、第四の分室２４ａ内でヒーター１６により暖められた空気はクーリングパッド１０を経て第五の分室２４ｂに案内され、空気ダクト４から育成棚２を経て温室１内に案内され、さらに第六の窓２５ｂから第四の分室２４ａに循環する。
【００６５】
このような動作により、温室１内が暖房されるとともに、湿度が調整される。このとき、温室１内の温度及び湿度に応じてクーリングパッド１０に供給される水量が調整されて、気温に適した湿度に調整される。
【００６６】
図１２に示すように、温室１内の気温が前記第十一の温度範囲Ｔ１１より高い第十二の温度範囲Ｔ１２では、第一のファン１２ａがオン動作に維持される。
また、第五の窓２５ａ及び天窓２１は閉じられ、第六の窓２５ｂは開放されるとともに、ヒーター１６がオフされる。クーリングパッド１０には給水装置１１から水が供給される。
【００６７】
すると、図１４に示すように、第一のファン１２ａの動作により、第四の分室２４ａ内の空気はクーリングパッド１０を経て第五の分室２４ｂに案内され、空気ダクト４から育成棚２を経て温室１内に案内され、さらに第六の窓２５ｂから第四の分室２４ａに循環する。
【００６８】
このような動作により、温室１内の湿度が調整される。このとき、温室１内の温度と湿度に応じてクーリングパッド１０に供給される水量が調整されて、気温に適した湿度に調整される。
【００６９】
図１２に示すように、温室１内の気温が前記第十二の温度範囲Ｔ１２より高い第十三の温度範囲Ｔ１３では、第一のファン１２ａがオン動作に維持される。
また、第五の窓２５ａ、第六の窓２５ｂは開放されるとともに、天窓２１は閉じられ、ヒーター１６がオフされる。クーリングパッド１０には給水装置１１から水が供給される。
【００７０】
すると、図１５に示すように、第一のファン１２ａの動作により、温室１外から第五の窓２５ａを経て第四の分室２４ａに外気が導入され、第四の分室２４ａ内の空気はクーリングパッド１０を経て第五の分室２４ｂに案内され、空気ダクト４から育成棚２を経て温室１内に案内され、さらに第六の窓２５ｂから第四の分室２４ａに循環する。
【００７１】
このような動作により、温室１内の湿度が調整される。このとき、温室１内の温度と湿度に応じてクーリングパッド１０に供給される水量が調整されて、気温に適した湿度に調整される。
【００７２】
図１２に示すように、温室１内の気温が前記第十三の温度範囲Ｔ１３より高い第十四の温度範囲Ｔ１４では、第一のファン１２ａがオン動作に維持される。
また、第五の窓２５ａは開放されるとともに、第六の窓２５ｂは閉じられ、天窓２１が少し開かれる。ヒーター１６はオフされ、クーリングパッド１０には給水装置１１から水が供給される。
【００７３】
すると、図１６に示すように、第一のファン１２ａの動作により、温室１外から第五の窓２５ａを経て第四の分室２４ａに外気が導入され、第四の分室２４ａ内の空気はクーリングパッド１０を経て第五の分室２４ｂに案内され、空気ダクト４から育成棚２を経て温室１内に案内され、温室１内を循環する。
【００７４】
このような動作により、温室１内の湿度が調整される。このとき、温室１内の温度と湿度に応じてクーリングパッド１０に供給される水量が調整されて、気温に適した湿度に調整される。
【００７５】
また、温室１内の気圧が温室１外の気圧より高くなると、温室１内の空気が天窓２１から温室１外に排気される。
この状態では、温室１内の気圧が温室１外より若干高い気圧に維持されるため、温室１内への害虫の侵入を抑制することができる。
【００７６】
図１２に示すように、温室１内の気温が前記第十四の温度範囲Ｔ１４より高い第十五の温度範囲Ｔ１５では、第一のファン１２ａがオン動作に維持される。
また、第五の窓２５ａ及び天窓２１は開放されるとともに、第六の窓２５ｂは閉じられ、ヒーター１６がオフされる。クーリングパッド１０には給水装置１１から水が供給される。
【００７７】
すると、図１７に示すように、第一のファン１２ａの動作により、温室１外から第五の窓２５ａを経て第四の分室２４ａに外気が導入され、第四の分室２４ａ内の空気はクーリングパッド１０で気化熱を奪われて第五の分室２４ｂに案内される。そして、空気ダクト４から育成棚２を経て温室１内に案内され、天窓２１から温室１外へ排出される。このような動作により、温室１内が冷房される。
【００７８】
上記のような温室の環境制御装置では、第一の実施形態で得られた（１）〜（４）の効果と同等の効果を得ることができるとともに、次に示す効果を得ることができる。
（１）第一の実施形態に比して、空調室６の窓の数を削減し、かつ第二のファン１２ｂに代えて天窓２１を設けたので、構成を簡略化して、コストを低減することができる。
【００７９】
なお、上記実施形態は以下のように変更してもよい。
・第一及び第二のファン１２ａ，１２ｂは、温室１内の適宜位置に複数配設してもよい。
・給水装置１１からクーリングパッド１０に供給する水量を多段階に調整して、温室１内の湿度をさらにきめ細かく調整するようにしてもよい。
・第一及び第二の実施形態において、温室１外の温度、湿度、日射量を検出する各センサを備え、温室１内の温度、湿度と、温室１外の温度、湿度、日射量とに基づいて、クーリングパッド１０に供給する水量や風量を制御するようにしてもよい。
【００８０】
上記実施形態から把握できる請求項以外の技術思想を以下に記載する。
（付記１）請求項２に記載の温室の環境制御装置において、
前記複数の窓は、温室内の空気を前記クーリングパッドを介して循環させるか否かを選択する窓と、前記温室内に外気を導入するか否かを選択する窓を備えたことを特徴とする温室の環境制御装置。
（付記２）請求項２に記載の温室の環境制御装置において、
前記温室内の空気を排出する天窓を、前記コントローラーの制御に基づいて開閉可能に設けたことを特徴とする温室の環境制御装置。
（付記３）請求項３に記載の温室の環境制御方法において、
温室内の気温に応じて、温室内に外気を導入するか否かを選択することを特徴とする温室の環境制御方法。
【符号の説明】
【００８１】
１…温室、４…空気ダクト、５…コントローラー、９ａ〜９ｄ…第一〜第四の窓、１０…クーリングパッド、１３…気温センサ、１４…湿度センサ、２１…天窓、２５ａ，２５ｂ…第五及び第六の窓。
【図１】
2015006133.tif 000003
【図２】
2015006133.tif 000004
【図３】
2015006133.tif 000005
【図４】
2015006133.tif 000006
【図５】
2015006133.tif 000007
【図６】
2015006133.tif 000008
【図７】
2015006133.tif 000009
【図８】
2015006133.tif 000010
【図９】
2015006133.tif 000011
【図１０】
2015006133.tif 000012
【図１１】
2015006133.tif 000013
【図１２】
2015006133.tif 000014
【図１３】
2015006133.tif 000015
【図１４】
2015006133.tif 000016
【図１５】
2015006133.tif 000017
【図１６】
2015006133.tif 000018
【図１７】
2015006133.tif 000019